(57)【要約】【課題】甲殻類を切断し、甲殻類から肉を取り出すことができる多機能はさみを実現する。【解決手段】  例えば、甲殻類を食べる際に用いるために、切断およびこすり落とすよう構成された多機能はさみ１００である。多機能はさみ１００は、掻き器として機能する延長部１０１を含むことができる。多機能はさみ１００はまた、刃の先端部がフォークを形成するように構成することもできる。【選択図】  図１
0003153578.tif 000002
【実用新案登録請求の範囲】
【請求項１】
第１の握り部と、第１の切断端と、第１の先（ｔｉｎｅ）とを含む第１のレバーであって、前記第１の先は、前記第１の握り部から離れて向いている前記第１の切断端の端部に位置付けられている、第１のレバーと、
第２の握り部と、第２の切断端と、第２の先とを含む第２のレバーであって、前記第２の先は、前記第２の握り部から離れて向いている前記第２の切断端の端部に位置付けられている、第２のレバーと、
前記第１のレバーに結合された掻き器であって、前記掻き器は前記第１の握り部を越えて延びている、掻き器と、
前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成され、そして、前記第１の先と前記第２の先は、前記第１および第２の切断端が前記閉位置にある場合に間隔が空いたフォークを形成する、支点と、
を備えた多機能はさみ。
【請求項２】
前記掻き器は、前記第１のレバーに着脱可能に結合されている、請求項１に記載の多機能はさみ。
【請求項３】
前記掻き器はさらにフォークを含んでいる、請求項２に記載の多機能はさみ。
【請求項４】
第１の握り部と第１の切断端と第１の先と第２の先とを含む第１のレバーであって、前記第１および第２の先はフォークを形成し、
前記第１の先および前記第２の先は、前記第１の握り部から離れて向いている前記第１の切断端の端部で位置付けられている、第１のレバーと、
第２の握り部と第２の切断端とを含む第２のレバーと、
前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成され、そして、前記第１の先と前記第２の先は間隔が空いたフォークを形成する、支点と、
を備えた多機能はさみ。
【請求項５】
前記第１のレバーまたは前記第２のレバーのどちらかからの延長部の上に掻き器をさらに備え、前記掻き器は、前記第１または第２の握り部を越えて延びている、請求項４に記載の多機能はさみ。
【請求項６】
前記掻き器は、前記第１または第２のレバーに着脱可能に結合されている、請求項５に記載の多機能はさみ。
【請求項７】
前記掻き器はさらにフォークを含んでいる、請求項６に記載の多機能はさみ。
【請求項８】
第１の握り部と、第１の切断端と、第１の先とを含む第１のレバーであって、前記第１の先は、前記第１の握り部から離れて向いている前記第１の切断端の端部に位置付けられている、第１のレバーと、
第２の握り部と、第２の切断端と、第２の先とを含む第２のレバーであって、前記第２の先は、前記第２の握り部から離れて向いている前記第２の切断端の端部に位置付けられている、第２のレバーと、
前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように適合され、そして、前記第１の先と前記第２の先は、前記第１および第２の切断端が前記閉位置にある場合に間隔が空いたフォークを形成する、支点と、
を備えた多機能はさみ。
【請求項９】
前記第１および第２の先は、互いの方に向かって曲げられている、請求項８に記載の多機能はさみ。
【請求項１０】
前記第１および第２の先は、互いの方に向かって湾曲している、請求項８に記載の多機能はさみ。
【請求項１１】
前記第１および第２の先は、互いから離れるように曲げられている、請求項８に記載の多機能はさみ。
【請求項１２】
前記第１および第２の先は、互いから離れるように湾曲している、請求項８に記載の多機能はさみ。
【請求項１３】
前記第１および第２の先のうちの少なくとも一方は凹状縁を含んでいる、請求項８に記載の多機能はさみ。
【請求項１４】
第１の握り部と第１の切断端とを含む第１のレバーと、
第２の握り部と第２の切断端とを含む第２のレバーと、
前記第１のレバー上の掻き器であって、前記掻き器は前記第１および第２の握り部を越えて延びている、掻き器と、
前記第１および第２のレバーを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成されている、支点と、
を備えた多機能はさみ。
【請求項１５】
前記掻き器は、前記レバーに着脱可能に結合されている、請求項１４に記載の多機能はさみ。
【請求項１６】
前記掻き器は、フォークをさらに含んでいる、請求項１５に記載の多機能はさみ。
【考案の詳細な説明】
【技術分野】
【０００１】
本考案は、多機能はさみに関し、特に、甲殻類を切断し、甲殻類から肉を取り出すための多機能はさみである。
【背景技術】
【０００２】
ロブスターやカニなど甲殻類を食べるのは、難しく、時間がかかり、面倒である。甲殻類の殻を割るのにハンマー、ナイフおよび／またはくるみ割り器が用いられてきた。すると、殻の断片を分離し、肉を取り出すことができる。  
【考案の開示】
【考案が解決しようとする課題】
【０００３】
しかしながら、ハンマーおよび／またはくるみ割り器を用いると、肉を粉々にし、またはその他の方法で肉を傷つける可能性があり、その結果、食べられる肉をより少量しか取り出せなくしてしまう。さらに、ハンマーおよび／またはくるみ割り器を用いると、殻の小片ができ、肉と混ざってしまう可能性がある。
【課題を解決するための手段】
【０００４】
本考案は、甲殻類を切断し、甲殻類から肉を取り出すために設計された１丁のはさみ（多機能はさみ）である。例えば、甲殻類を食べる際に用いるために、切断およびこすり落とすように構成された多機能はさみである。本考案の多機能はさみは、掻き器として機能する延長部を含むことができる。本考案の多機能はさみはまた、刃の先端部がフォークを形成するように構成することもできる。
本考案に係る多機能はさみは、第１の握り部と、第１の切断端と、第１の先（ｔｉｎｅ）とを含む第１のレバーであって、前記第１の先は、前記第１の握り部から離れて向いている前記第１の切断端の端部に位置付けられている、第１のレバーと、第２の握り部と、第２の切断端と、第２の先とを含む第２のレバーであって、前記第２の先は、前記第２の握り部から離れて向いている前記第２の切断端の端部に位置付けられている、第２のレバーと、前記第１のレバーに結合された掻き器であって、前記掻き器は前記第１の握り部を越えて延びている、掻き器と、前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成され、そして、前記第１の先と前記第２の先は、前記第１および第２の切断端が前記閉位置にある場合に間隔が空いたフォークを形成する、支点と、を備える。
ある好適な実施形態において、前記掻き器は、前記第１のレバーに着脱可能に結合されている。
ある好適な実施形態において、前記掻き器はさらにフォークを含んでいる。
本考案に係る他の多機能はさみは、第１の握り部と第１の切断端と第１の先と第２の先とを含む第１のレバーであって、前記第１および第２の先はフォークを形成し、前記第１の先および前記第２の先は、前記第１の握り部から離れて向いている前記第１の切断端の端部で位置付けられている、第１のレバーと、第２の握り部と第２の切断端とを含む第２のレバーと、前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成され、そして、前記第１の先と前記第２の先は間隔が空いたフォークを形成する、支点と、を備える。
ある好適な実施形態において、前記第１のレバーまたは前記第２のレバーのどちらかからの延長部の上に掻き器をさらに備え、前記掻き器は、前記第１または第２の握り部を越えて延びている。
ある好適な実施形態において、  前記掻き器は、前記第１または第２のレバーに着脱可能に結合されている。
ある好適な実施形態において、前記掻き器はさらにフォークを含んでいる。
本考案に係る更に他の多機能はさみは、第１の握り部と、第１の切断端と、第１の先とを含む第１のレバーであって、前記第１の先は、前記第１の握り部から離れて向いている前記第１の切断端の端部に位置付けられている、第１のレバーと、第２の握り部と、第２の切断端と、第２の先とを含む第２のレバーであって、前記第２の先は、前記第２の握り部から離れて向いている前記第２の切断端の端部に位置付けられている、第２のレバーと、
前記第１のレバーと前記第２のレバーとを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように適合され、そして、前記第１の先と前記第２の先は、前記第１および第２の切断端が前記閉位置にある場合に間隔が空いたフォークを形成する、支点と、を備える。
ある好適な実施形態において、前記第１および第２の先は、互いの方に向かって曲げられている（ａｎｇｌｅｄ）。
ある好適な実施形態において、前記第１および第２の先は、互いの方に向かって湾曲している（ｃｕｒｖｅｄ）。
ある好適な実施形態において、前記第１および第２の先は、互いから離れるように曲げられている。
ある好適な実施形態において、前記第１および第２の先は、互いから離れるように湾曲している。
ある好適な実施形態において、前記第１および第２の先のうちの少なくとも一方は凹状縁を含んでいる。
本考案に係る更に他の多機能はさみは、第１の握り部と第１の切断端とを含む第１のレバーと、第２の握り部と第２の切断端とを含む第２のレバーと、前記第１のレバー上の掻き器であって、前記掻き器は前記第１および第２の握り部を越えて延びている、掻き器と、前記第１および第２のレバーを移動可能に結合する支点であって、前記支点は、前記握り部と前記切断端との間に位置付けられ、且つ、前記第１の切断端と前記第２の切断端とは、１丁のはさみの形態で切断するために、開位置と閉位置との間で動くように構成されている、支点と、を備える。
ある好適な実施形態において、前記掻き器は、前記レバーに着脱可能に結合されている。
ある好適な実施形態において、前記掻き器は、フォークをさらに含んでいる。
【考案の効果】
【０００５】
本考案によれば、甲殻類を切断し、甲殻類から肉を取り出すために設計された１丁のはさみ（多機能はさみ）を実現することができる。  本考案の多機能はさみによれば、例えば、甲殻類を食べる際に用いるために、甲殻類を切断し、そして甲殻類から肉をこすり落とすことができる。
【図面の簡単な説明】
【０００６】
【図１】閉位置における多機能はさみの一実施例を示している。
【図２】開位置における多機能はさみの一実施例を示している。
【図３】多機能はさみの両先端で形成されるプロング（叉）の一実施例を示している。
【図４Ａ】多機能はさみの一実施例を示している。
【図４Ｂ】多機能はさみの一実施例を示している。
【図５】取り外し可能な魚介類用道具の延長部の一実施例を示している。
【考案を実施するための形態】
【０００７】
カニの脚など甲殻類用のはさみを使用する簡単な方法には、殻に沿って両側を切断し、次に、２つの半分部分を引き離して、間の肉をあらわにすることが含まれている。しかしながら、従来のはさみはこの目的に適さない。
【０００８】
図１は、延長部１０１を含む閉位置での多機能はさみ１００の一実施例を示している。多機能はさみは、多機能はさみの一端で一組のはさみ刃（１０２、１０４）を、他端で取っ手を形成する一組の握り部（１０６、１０８）を含んでいる。上の握り部１０６は下の刃１０４と接続して第１レバーを形成し、一方、下の握り部１０８は上の刃１０２と接続して第２レバーを形成している。握り部とはさみ刃との間で、支点１０５が第１レバーと第２レバーを接続している。
【０００９】
下の刃１０４は、上の刃１０２よりも短くすることができる。多機能はさみの下のはさみ刃１０４の高さは最小であることが好ましく、その結果、下のはさみ刃１０４が小さな領域（例えば、カニの脚）の下またはその中により簡単に入れることができるようになる。例えば、刃１０４の最大高さは、約１ｃｍ、すなわち１／２インチであり得る。
【００１０】
図２は、開位置での多機能はさみ１００の一実施例を示している。図２はまた、使用中に２枚のはさみ刃が交差している場合の多機能はさみの切断端２０１を表している。
【００１１】
多機能はさみは、切断している間に、甲殻類の殻など物体にかかる力の程度を大きくするように構成され得る。そのような構成の一例では、握り部１０６、１０８を切断表面２０１よりも支点から遠く離れて配置するであろう。例えば、切断表面は支点から１〜８ｃｍの範囲内にあり得る。一方、握り部１０６、１０８は、支点１０５から６〜２０ｃｍ離れて配置することができる。くるみ割り器１０７は、両握り部と支点との間に位置付けられ得る。
【００１２】
さらに、上のはさみ刃１０２と下のはさみ刃１０４は、取っ手に対して（所定角度で）曲げられ得る。例えば、はさみ刃１０２、１０４に対する取っ手の角度１１２は、１５〜６０度であり得る。この角度によって、使用者は、はさみがカニの脚など物品を切り進める際に邪魔されずに自由に取っ手を操作することができる。
【００１３】
強度と耐久性を最大にするためには、刃と握り部は、例えば、ステンレス鋼および／またはチタンなどの金属から形成されるであろう。しかしながら、ステンレス鋼および／またはチタン製の刃に取り付けられたプラスチックまたはゴム引きの握り部を用いる方が、製造コストは低くなり得る。
【００１４】
多機能はさみは、追加の工具と機能性を含んでいる。例えば、２つの可能な追加部分とは、以下で説明するように、掻き器とフォーク／鉗子である。
【００１５】
＜掻き器＞
図１は、１丁のはさみの握り部１０８の延長部１０１の一例を示している。延長部１０１は掻き器として機能する。延長部は掻き器としての使用を推進するように長くて薄く、例えば、２〜６インチの長さであり得る。掻き器はまた関節を通って甲殻類の肉を押す出すことによって、肉を取り出すために用いられてもよい。
【００１６】
さらに、延長部１０１の端部は、延長部を掻き器として使用しやすくするために、少なくとも１表面で平らまたは窪んでいてもよい。例示的な掻き器１０３は、１インチの長さであり、上面と底面は両方とも平らになっている。掻き器として、延長部は、例えば、肉を殻の横からこすり落とし、またはカニなどの甲殻類の関節から肉を引っ張り出すために用いられてもよい。掻き器１０３はまた、窪んだ表面を持った延長部１０１に対して僅かに曲げられてもよく、その結果、小さな狭いスプーンまたはスクーパとして機能し得る。さらに、カニの脚の内側に見られる表面など窪んだ表面を引っ掻くために用いる場合には、掻き器１０３の先端は丸みを帯びていてもよい。
【００１７】
多機能はさみは、はさみを逆に取り扱う（すなわち、閉じられた刃が肘（ｅｌｂｏｗ）と向かい合い、掻き器が肘から前方遠くで向かい合う）ことができるように設計された取っ手を含んでもよい。この設計では、掻き器は、使用者から離れて向けられた直線延長部として用いられることができる。それに加えて、はさみが誤って開き、使用者を切ってしまわないように、例えば簡単なクリップまたはフックなどの固定機構体が有用となろう。
【００１８】
＜フォーク／鉗子＞
図１および図２は、新しい刃の設計の一実施例を示している。新しい刃の設計には、はさみの先端部（ｔｉｐ）にフォークが組み込まれている。このフォークは、少なくとも２本の先（ｔｉｎｅ）から構成され、一方の先１１２が上の刃１０２に取り付けられ、別の先１１４が下の刃１０４に取り付けられている。先１１２は、上の刃１０２の先端部に取り付けられ、支点１０５から離れて向けられている。一方、別の先１１４は、下の刃１０４の先端部に取り付けられ、支点１０５から離れて向けられている。この新しい刃の設計によって、図１で示されているように、切断時には用いられないことが多いはさみの先端部が、はさみが閉位置（または閉位置近く）にある場合に、フォークの先として機能することもできる。先（ｔｉｎｅ）は、プロング(ｐｒｏｎｇ）、叉（また）としても知られている。
【００１９】
別の刃の設計３００（図３で図示）には、先が互いの方を向くように、先に湾曲部が含まれている。具体的には、上の先が下向きに湾曲し、下の先が上向きに湾曲している。この設計によって、はさみの先端部が、閉位置近くでフォークとして、また１丁の鉗子として機能することができる。鉗子は、例えばカニの甲羅の破片など、フォークで集めることができない物品に有用である。
【００２０】
さらに、湾曲した刃の先端部３００は、カニの甲羅から、鋭いとげを取り除くのにも有用である。鋭いとげは、通常であれば固定された握り部を邪魔し、および／または、両手を傷つけてしまうであろう。同時に、湾曲した刃の先端部は、はさみの刃の間から滑り出さずに、鋭いとげの回りを包み込んでとげを取り除く。湾曲した刃の先端部はまた、カニのはさみまたは他の同様の鋭い付属物の先端部を取り除くのにも有利となろう。先端部を取り除くことによって、掻き器を挿入するため、またはカニのはさみを切り開くようはさみを使用するために、カニのはさみの端部にアクセスすることができる。とげ除去器はまた、３０１で示されているように、はさみの刃に窪んだ縁部を備えた直線のフォークの先を用いて実施されてもよい。この窪んだ刃の縁部は、例えばストローや花の茎など、通常であれば直線の刃を備えたはさみで前に押されるであろう管状または丸い物品を、よりすっきりと切断するのに有用となろう。
【００２１】
別の刃の先端部の設計が、開位置および閉位置３０２、３０３、３０４で描かれている。当業者には、追加機能の有無にかかわらずフォークを形成するための数多くの可能な刃の先端部の設計が、本発明で意図されていることが明らかである。さらに、３０５で示されているように、上（または下）の刃が、フォークの両方の先（ｔｉｎｅ）を組み込んでいてもよい。この刃の先端部の設計３０５によって、本考案のフォークの設計を維持しながら、はさみは小さな開口部を用いて材料を切断することができる。刃の先端部の設計３０５では、フォークの先が切断端として用いられるのを防ぐために、先（ｔｉｎｅ）のない刃は先（ｔｉｎｅ）のある刃よりも短く形成され得る。先のない刃は、硬い材料（図示せず）を切断するために刃を強化するように、フォークの先よりも広く、場合によっては、先のある刃と同じくらい広く形成することもできる。
【００２２】
図４Ａおよび図４Ｂは、掻き器とフォークの両方を含んだ多機能はさみ４００の一実施例を示している。例示的な掻き器４０３は延長部４０１に接続され、延長部４０１は指に合わせて形成された握り部４０８に接続されている。はさみ４００はまた、２つの先４１２、４１４から構成されるフォークを含んでいる。先４１２は上の刃４０２と接続し、上の刃４０２は下の握り部４０８と接続している。先４１４は下の刃４０４と接続し、下の刃４０４は上の握り部４０６に接続されている。上の握り部４０６は、親指に合わせて形成された握り部である。砕き器４０７が、両握り部と支点４０５との間に位置付けられている。
【００２３】
＜他の改良点＞
多機能はさみはまた、くるみ割り器で見られることが多い凹状縁（ｃｏｎｃａｖｅ  ｅｄｇｅ）と同様の、１対の対向のこ歯状（または、ざらざら（ｔｅｘｔｕｒｅｄ））の凹状縁１０７を含んでもよい。これら対向する凹状縁は、甲殻類の甲羅を砕くのに、または甲殻類の一部を握るための工具として、有用である。
【００２４】
多機能はさみはまた、滑り止め、ざらざら、またはゴム引きの握り部を含んでもよい。種々の握り部が、はさみの使用目的によって好ましいとされ得る。例えば、これらの握り部は、甲殻類を食べる時など散らかる環境ではさみを使用する場合に好ましい。
【００２５】
多機能はさみは、例えば、栓抜き、種々の握り部、装飾的な外観、ロック機構、（はさみを自動的に開くための）ばね荷重など他の改良点を含んでもよい。下の握り部からの延長部もまた、他の機能性を含むように設計されてもよい。例えば、延長部は、ナイフの刃、牡蠣用ナイフ、小さいスプーン、小さいフォーク、小さい先割れスプーン（フォークとスプーンの合体）、または他の合体器具として機能するように設計されてもよい。
【００２６】
延長部１０１と掻き器１０３は、図５で示されているように、取り外し可能な魚介類用道具（ｓｅａｆｏｏｄ  ｄｏｏｈｉｃｋｅｙ）の一部であってもよい。取り外し可能な魚介類用道具はまた、戻り止め５００と魚介類用フォーク５０１または突き錐（ａｗｌ）（図示せず）を含み得る。延長部は、多機能はさみに取り付けられながら回転しないように、六角形またはその他の形状をし得る。戻り止め５００は、取り外し可能な魚介類用道具が、誤って多機能はさみから外れないように、ボール型の戻り止めまたは他の同等の機構体であり得る。握り部と延長部が誤って外れないように設計されている場合には、別個の戻り止め５００は不必要となろう。
【００２７】
１つの可能な設計においては、握り部１０８の端部は、１０９で延長部を保持するための孔または他の開口を含み得る。取り外し可能な延長部は、握り部１０８の開口の内側にぴたりと嵌まるように設計されるであろう。あるいは、他の可能な設計では、握り部１０８の先端は、１１０で延長部をしっかりと保持するために、延長部１０１に応じて形成された凹部を含み得る。
【００２８】
別の可能な設計では、刃１０２および／または１０４は湾曲していてもよい。この湾曲した刃の設計によって、多機能はさみは、えびまたはロブスターの殻など湾曲した物体をより簡単に切断することができる。
【産業上の利用可能性】
【００２９】
本考案によれば、甲殻類を切断し、甲殻類から肉を取り出すために設計された１丁のはさみ（多機能はさみ）を提供することができる。
【符号の説明】
【００３０】
１００  多機能はさみ
１０１ 延長部
１０２  上のはさみ刃
１０３  掻き器
１０４  下のはさみ刃
１０５ 支点
１０６  上の握り部
１０７  凹状縁
１０８  下の握り部
１１２ 先（一方の先）
１１４ 先（別の先）
２０１ 切断端
３００ 湾曲した刃の先端部
４００  多機能はさみ
５００  戻り止め
５０１  魚介類用フォーク
【図１】
0003153578.tif 000003
【図２】
0003153578.tif 000004
【図３】
0003153578.tif 000005
【図４Ａ】
0003153578.tif 000006
【図４Ｂ】
0003153578.tif 000007
【図５】
0003153578.tif 000008